(57)【要約】【課題】ワンツーワンーマーケッティングの適したインターネットから新聞折込チラシなどのマスメディアの広告媒体に人を誘導することにより広告の効果を高めることができる。【解決手段】宣伝サーバーは、あらかじめクイズ毎に設定された出題対象者条件を満足する閲覧者属性を持つ閲覧者に限定してＷＥＢページ上にクイズを表示し、前記クイズの解答又は／及び解答を導き出す参考情報が記載された広告媒体を特定する情報を前期クイズと同一ページに表示する。【選択図】図１
2010097153.tif 000002
【特許請求の範囲】
【請求項１】
宣伝サーバーは、あらかじめクイズ毎に設定された出題対象者条件を満足する閲覧者属性を持つ閲覧者に限定してＷＥＢページ上にクイズを表示し、前記クイズの解答又は／及び解答を導き出す参考情報が記載された広告媒体を特定する情報（以降、広告特定情報と呼ぶ）を前記クイズと同一ページに表示することに特徴を有する通信ネットワーク上の宣伝システム。
【請求項２】
請求項１に記載の通信ネットワーク上の宣伝システムであって、クイズを特定するクイズＩＤと、クイズＩＤに関連付いた出題内容と、クイズＩＤに関連付いた広告特定情報と、クイズＩＤに関連付いた出題対象者条件と、閲覧者を特定する閲覧者ＩＤと、閲覧者ＩＤに関連付いた閲覧者属性とを記憶する記憶手段を有する宣伝サーバーを備え、前記宣伝サーバーは、閲覧者ＩＤに関連付いた閲覧者属性を満足する出題者対象条件を決定し決定した出題対象者条件に関連付いたクイズＩＤを決定し決定したクイズＩＤに関連付いた出題内容を決定し閲覧者が閲覧するＷＥＢページ上に決定した出題内容を表示するクイズ出題処理部を有することに特徴を有する通信ネットワーク上の宣伝システム。
【請求項３】
請求項２に記載の通信ネットワーク上の宣伝システムであって、クイズＩＤに関連付いた出題内容に広告特定情報の内容が含まれていることに特徴を有する通信ネットワーク上の宣伝システム。
【請求項４】
請求項１〜３のいずれかに記載の通信ネットワーク上の宣伝システムであって、閲覧者属性が以下の（１）から（１２）からなる群から選択される１つ以上の項目であることに特徴を有する通信ネットワーク上の宣伝システム。
（１）郵便番号。
（２）住所。
（３）都道府県。
（４）市区町村。
（５）性別。
（６）生年月日。
（７）年齢。
（８）学歴。
（９）職業。
（１０）年収。
（１１）家族構成。
（１２）趣味。
【請求項５】
請求項１〜４のいずれかに記載の通信ネットワーク上の宣伝システムであって、クイズへの解答又は／及び正解の解答に対してインセンティブを付与することに特徴を有する通信ネットワーク上の宣伝システム。
【発明の詳細な説明】
【技術分野】
【０００１】  この発明は、クイズを解答する閲覧者を他の広告媒体に誘引し広告対象を宣伝することに特徴を有する通信ネットワーク上の宣伝システムに関する。
【背景技術】
【０００２】  近年のインターネットに代表される通信ネットワークの普及に伴い、紙媒体に印刷されたＱＲコードからＷＥＢサイトへの誘導やテレビからＷＥＢサイトへの誘導さらにＷＥＢサイトから紙媒体への誘導など、クロスメディア広告が増加してきている。
【発明の開示】
【発明が解決しようとする課題】
【０００３】  従来のクロスメディア広告に、新聞折込チラシを配布する前日に、テレビＣＭで「詳しくは明日の朝刊のチラシをご覧ください」のような事例が存在する。しかし、テレビＣＭでは視聴者の属性を細かく正確に把握し限定された視聴者だけにＣＭを配信することはできないので、効率的な広告配信が難しい。【０００４】そこで、本発明は、このような問題を解決するためになされたものであり、クイズで不特定多数の閲覧者を誘引し、閲覧者の属性に応じて閲覧者に適した広告をクイズの形でＷＥＢページ上に表示する宣伝システムを提供する。
【課題を解決するための手段】
【０００５】  上記課題を解決するために、請求項１に記載の発明は、宣伝サーバーは、あらかじめクイズ毎に設定された出題対象者条件を満足する閲覧者属性を持つ閲覧者に限定してＷＥＢページ上にクイズを表示し、前記クイズの解答又は／及び解答を導き出す参考情報が記載された広告媒体を特定する情報（以降、広告特定情報と呼ぶ）を前記クイズと同一ページに表示する構成を採用する。ここで、通信ネットワークには、（１）インターネット、（２）携帯電話、ＰＨＳのネットワーク、（３）前記（１）（２）にまたがったネットワーク、が含まれる。【０００６】  請求項２に記載の発明は、請求項１に記載の通信ネットワーク上の宣伝システムであって、クイズを特定するクイズＩＤと、クイズＩＤに関連付いた出題内容と、クイズＩＤに関連付いた広告特定情報と、クイズＩＤに関連付いた出題対象者条件と、閲覧者を特定する閲覧者ＩＤと、閲覧者ＩＤに関連付いた閲覧者属性とを記憶する記憶手段を有する宣伝サーバーを備え、前記宣伝サーバーは、閲覧者ＩＤに関連付いた閲覧者属性を満足する出題者対象条件を決定し決定した出題対象者条件に関連付いたクイズＩＤを決定し決定したクイズＩＤに関連付いた出題内容を決定し閲覧者が閲覧するＷＥＢページ上に決定した出題内容を表示するクイズ出題処理部を有する構成を採用する。【０００７】  請求項３に記載の発明は、請求項２に記載の通信ネットワーク上の宣伝システムであって、クイズＩＤに関連付いた出題内容に広告特定情報の内容が含まれている構成を採用する。【０００８】請求項４に記載の発明は、請求項１〜３のいずれかに記載の通信ネットワーク上の宣伝システムであって、閲覧者属性が以下の（１）から（１２）からなる群から選択される１つ以上の項目である構成を採用する。
（１）郵便番号。
（２）住所。
（３）都道府県。
（４）市区町村。
（５）性別。
（６）生年月日。
（７）年齢。
（８）学歴。
（９）職業。
（１０）年収。
（１１）家族構成。
（１２）趣味。【０００９】  請求項５に記載の発明は、請求項１〜４のいずれかに記載の通信ネットワーク上の宣伝システムであって、クイズへの解答又は／及び正解の解答に対してインセンティブを付与することに特徴を有する通信ネットワーク上の宣伝システム。構成を採用する。
【発明の効果】
【００１０】  以上のように、本発明に係る宣伝システムによれば、従来のクロスメディア広告を採用した宣伝システムとは異なり、閲覧者属性を判断し閲覧者に最適なクイズを出題し、クイズの解答又は／及び解答を導き出す参考情報が記載された広告媒体に広告効果が高い閲覧者を誘引する。
【発明を実施するための最良の形態】
【００１１】  以下、本発明の実施形態について、図面を参酌しながら説明する。
【実施例】
【００１２】  図１は本発明である宣伝システムの実施例の概略を示す説明図である。図１に示すように、この宣伝システムは、インターネット１０などの通信ネットワークを介して接続されている閲覧者の端末２０と宣伝サーバー４０と、新聞折込チラシ３０により構成される。【００１３】  宣伝サーバー４０は、ＣＰＵ、ハードディスク記憶装置などからなる公知のコンピューターシステムによって構成されており、ＷＷＷサーバーとしての機能を有する。また、宣伝サーバー４０は、本発明の特徴部分であるクイズ出題処理部７０と記憶手段６０を備えており、宣伝サーバー４０にインストールされているプログラムにより、ＷＥＢページ５０に後述する出題内容６２と後述する広告特定情報６３とを組み込み、ＷＷＷの仕組みに従って閲覧者の端末にＷＥＢページ５０を表示する。【００１４】  記憶手段６０には、クイズを特定するクイズＩＤ６１と、クイズＩＤに関連付いた出題内容６２と、クイズＩＤに関連付いた広告特定情報６３と、クイズＩＤに関連付いた出題対象者条件６４と、閲覧者を特定する閲覧者ＩＤ６５と、閲覧者ＩＤに関連付いた閲覧者属性６６とを備える。【００１５】  出題内容６２にはクイズの出題内容が設定され、広告特定情報６３にはクイズの解答又は／及び解答を導き出す参考情報が記載された広告媒体である新聞折込チラシ３０を特定する新聞社名と日付と朝刊夕刊の別などが設定され、出題対象者条件６４にはこのクイズを出題する対象者の年齢が設定され、閲覧者属性６６には閲覧者の年齢が設定されている。【００１６】クイズ出題処理部７０は、ＷＷＷの仕組みに従って閲覧者の端末２０よりＷＥＢページ５０を表示する要求を受信し、ＩＤとパスワードでログインするなど公知の処理で取得できる閲覧者ＩＤ６５に関連付いた閲覧者属性６６を取得し、閲覧者属性６６に設定されている閲覧者の年齢と出題対象者条件６４に設定さている対象者の年齢を判断し、条件を満足する出題対象者条件６４を決定し、決定した出題対象者条件６４に関連付いたクイズＩＤ６１を決定し、決定したクイズＩＤ６１に関連付いた出題内容６２と広告特定情報６３とをＷＥＢページ５０に組み込みＷＷＷの仕組みに従って閲覧者の端末２０にクイズとして表示する。【００１７】  閲覧者は、閲覧者の端末２０に表示された出題内容６２を解答するために広告特定情報６３が特定する新聞折込チラシ３０を閲覧し、広告特定情報６３に記載されたクイズの解答又は／及び解答を導き出す参考情報を閲覧し、クイズに解答する。
【産業上の利用可能性】
【００１８】  このように、一人一人の属性やニーズに適した販売促進を行うワンツーワンマーケッティングに適したインターネットから不特定多数の多くの人にアプローチできるマスメディアの広告媒体に人を誘導することによりマスメディアの広告媒体の広告効果を高めることができる。
【図面の簡単な説明】
【００１９】
【図１】本発明である宣伝システムの実施例の概略を示す説明図である。
【符号の説明】
【００２０】１０    インターネット
２０    閲覧者の端末
３０    新聞折込チラシ
５０    ＷＥＢページ
６０    記憶手段
６１    クイズＩＤ
６２    出題内容
６３    広告特定情報
６４    出題対象者条件
６５    閲覧者ＩＤ
６６    閲覧者属性
【図１】
2010097153.tif 000003